(57)【要約】【課題】容易かつ適正にしかも効率よくブロックマットを敷設し得るブロックマットおよびその敷設方法を提供する。【解決手段】多孔質かつ可撓性を有するシート２に多数のブロック３を固定したブロックマット１であって、ブロック３にその切断を容易にする切断溝４を設ける。例えば切断溝４が、縦および横方向に複数形成されている。ブロックマット１を法面に載置し、その後、複数の切断溝４から一部の切断溝を選択し、ブロック３を切り離す。切断溝４に沿って切り離すことで、ブロックマット１をずらしながら敷設し、あるいは充填用モルタルを使用することなく、簡単かつ適正に敷設することができる。【選択図】        図１
2004339849.tif 000002
【特許請求の範囲】
【請求項１】
多孔質かつ可撓性を有するシートに多数のブロックを固定したブロックマットであって、
該ブロックにその切断を容易にする切断溝を設けたことを特徴とするブロックマット。
【請求項２】
前記切断溝が、縦および横方向に碁盤目状に複数形成されていることを特徴とする請求項１に記載のブロックマット。
【請求項３】
前記切断溝が、対角線に沿って複数形成されていることを特徴とする請求項１に記載のブロックマット。
【請求項４】
前記切断溝が、ブロックマットの一部の領域のブロックのみに形成されていることを特徴とする請求項１に記載のブロックマット。
【請求項５】
前記一部の領域が、ブロックマットの両端から一定領域であることを特徴とする請求項４に記載のブロックマット。
【請求項６】
ブロックに植生用の貫通穴が形成されていることを特徴とする請求項１に記載のブロックマット。
【請求項７】
請求項１に記載のブロックマットを法面に載置し、その後、複数の切断溝から一部の切断溝を選択し、その切断溝に沿ってブロックを分離することを特徴とするブロックマットの敷設方法。
【請求項８】
請求項１に記載のブロックマットのブロックを複数の切断溝から一部の切断溝を選択してその切断溝に沿ってブロックを分離し、その後、ブロックマットを法面に載置することを特徴とするブロックマットの敷設方法。
【発明の詳細な説明】
【０００１】
【発明の属する技術分野】
本発明は、たとえば海岸や河川、池等で施工される護岸工法、あるいは盛土や切土において法面を補強、保護するために使用される土木用のブロックマットおよびその敷設方法に関するものである。
【０００２】
【従来の技術】
この種の施工方法は、具体的にはシート状の基布にブロックを、多数、並んだ状態で取り付けたマット、すなわちブロックマットを使用して行うものである（特許文献１及び特許文献２参照）。
上から見てトラック状の法面にブロックマットを敷設する場合、特に法肩、法尻あるいはコーナー部（曲線部）においては、特別な施工上のテクニックを必要とする。
【０００３】
例えば、水平面から法尻にかけてブロックマットを連続延長して敷設する場合、側面図（地面は断面）の図１０（Ａ）に示すように、ブロックが丁度、法尻１０２に位置すると、そのブロック同士が邪魔になってブロックマット１を折り曲げることができない。
そのため、図１０（Ｂ）に示すように、ブロックマット１を一旦、吊り上げて隣り合うブロック３の境界まで移動しなければならない（矢印方向参照）。
ブロックマット自体はかなりの重量を有することから、このような移動は施工上、極めて能率が悪い。
このようなことは、法肩に敷設する場合にも言える。
【０００４】
また、側面図（地面は断面）の図１１（Ａ）に示すように、並んでいるブロック同士が接触するまでの角度範囲まではクリテカルに施工可能であるが、それ以上の角度はブロック同士が衝突しあって、傾斜が取れない。
もっとも、そのために、図１１（Ｂ）に示すように、衝合する位置にあるブロック３を丸ごと取り除いてやればよいが、その作業は負担が大きく極めて能率が悪い。
しかもブロック取り除いた部分が大きく余白部分となって残る。
【０００５】
一方、コーナー部を持つ法面（すなわち敷設面を上方から見た場合に湾曲している法面）の施工を想定した場合、上部と下部の曲率半径の差によって、ブロックマット同士の突き合わせ部に必然的に概略三角形の空間が発生する。
そのため三角形状に切断した別のブロックマットをその空間に補充するか、また、上記の概略三角形の隙間が生じないように、ブロックマット同士の端部を斜め方向に切断しなければならない。
何れにしても、ブロックマットを切断する必要があるが、その場合、ブロックマットには、ブロックが整然と並んで取り付けられているために、その切断端は、図１２に示すように、段状に切断されることとなる。
そのために、隣接するブロックマット間には余白空間Ｓが大きく生じる結果、該空間をモルタル等を使って埋める必要があり極めて面倒である。
【０００６】
【特許文献１】
特開昭６０−１６６０７号公報
【特許文献２】
特許第２９７２９６３号公報
【０００７】
【発明が解決しようとする課題】
従来では法肩、法尻或いはコーナー部の施工において、手間がかかることから施工工数が増加し、或いはモルタル等の付属材料が必要になる。
一方、ブロックを１枚１枚現場合わせしながら、それ自体切断して施工するのは極めて困難である。
【０００８】
本発明はかかる実情に鑑み、容易かつ適正にしかも効率よくブロックマットを敷設し得るブロックマットおよびその敷設方法を提供することを目的とする。
【０００９】
【課題を解決するための手段】
かくして、本発明者は、このような課題背景に対して鋭意研究を重ねた結果、本来、切断しにくいブロックを部分的に切断し易くすることにより、上記の諸問題点を解決することができることを見出し、この知見に基づいて本発明を完成させたものである。
【００１０】
すなわち、本発明は、（１）、多孔質かつ可撓性を有するシートに多数のブロックを固定したブロックマットであって、該ブロックにその切断を容易にする切断溝を設けたブロックマットに存する。
【００１１】
そして、（２）、前記切断溝が、縦および横方向に碁盤目状に複数形成されているブロックマットに存する。
【００１２】
そしてまた、（３）、前記切断溝が、対角線に沿って複数形成されているブロックマットに存する。
【００１３】
そしてまた、（４）、前記切断溝が、ブロックマットの一部の領域のブロックのみに形成されているブロックマットに存する。
【００１４】
そしてまた、（５）、前記一部の領域が、ブロックマットの両端から一定領域であるブロックマットに存する。
【００１５】
そしてまた、（６）、ブロックに植生用の貫通穴が形成されているブロックマットに存する。
【００１６】
そしてまた、（７）、上記（１）記載のブロックマットを法面に載置し、その後、複数の切断溝から一部の切断溝を選択し、その切断溝に沿ってブロックを分離するブロックマットの敷設方法に存する。
【００１７】
そしてまた、（８）、上記（１）記載のブロックマットのブロックを複数の切断溝から一部の切断溝を選択してその切断溝に沿ってブロックを分離し、その後、ブロックマットを法面に載置するブロックマットの敷設方法に存する。
【００１８】
本発明によれば、ブロックマットを法面に載置し、切断溝に沿って切り離すことで、ブロックマットをずらしながら敷設し、あるいは充填用モルタルを使用することなく、簡単かつ適正に敷設することができる。
【００１９】
【発明の実施の形態】
以下、図面に基づき本発明によるブロックマットおよびその敷設方法の好適な実施の形態を説明する。
【００２０】
〔第１の実施の形態〕
図１は、本発明の実施形態におけるブロックマットの例を示し、（Ａ）は、平面図、（Ｂ）は側面図である。
このブロックマット１は、多孔質かつ可撓性を有するシート２に多数のブロック３を固定したものである。
【００２１】
図示は簡略化しているが、シート２上に複数のほぼ矩形状のブロック３が縦方向および横方向に整然と並んで固着されている。
ブロックの固着（固定）手段あるいは固着（固定）方法としては、例えば、ブロック３の成形時に、シート２をブロック３と同時一体化する方法、また、接着剤によってブロック３をシート２に固定する方法等、公知の方法を採用することができる。
【００２２】
シート２としては屈曲性を有する網地、編地、織地もしくは不織布等、種々の形態が採用可能であり、その材質として、例えばポリエステル、ポリエチレン、ポリプロピレン等が採用可能である。
また、ブロック３として典型的にはコンクリートのブロック等が好適である、シート２は、例えば、縦、横長さがそれぞれ数メートルを有する矩形状等とし、また、ブロック３は例えば一辺の長さが数十センチメートル程度の四角形とする。
【００２３】
また、ブロック３は、植生用として用いるものは、真ん中に貫通孔５を設けて、その穴に土壌を充填できるようにする（尚、本発明の実施の形態で示すものは、このような植生用の貫通孔５を設けたもので示す）。
また、図１のブロックマット１は、ブロックの一部の片にマット代２Ａ（すなわちブロックの配置されていない領域）を有するものを示したが、このマット代２Ａの採り方はブロックマット１によって異なるものであり、無い場合もある。
【００２４】
さて、本発明のブロックマットは、そのうちのブロック３に切断を容易にする切断溝４を設けたことが主なる特徴である。
切断溝４は、ブロック３の設定された必要位置に形成されている。
切断溝４の深さは、ブロック３の所定強度を確保した上で、且つ切断溝４に沿って容易に切断し得るように設定されている。
【００２５】
図２は、そのブロックマットのブロックを拡大して示したものである。
図２の図示例では、ブロック３に縦及び横方向に碁盤目状の複数の切断溝４が形成されている。
このブロック３を有するブロックマット１は、法肩または法尻に敷設するのに効果的である。
【００２６】
例えば図４に示すように、ブロックマット１を法肩１０１を持つ法面１００に載置する。
その後、複数の切断溝４（Ｌ１，Ｌ２，Ｌ３，Ｌ４，Ｌ５，Ｌ６）から法肩１０１のラインに位置する切断溝、例えば中央位置に形成されている切断溝Ｌ２（図２参照）を選択し、その切断溝に沿ってブロック３を切断する。
これでブロック自体が分割されるので、障害とならずに法肩１０１のラインでブロックマット１を折り曲げることができる。
【００２７】
このようにブロックマット１を載置して、選択された切断溝４に添って切断するだけで簡単かつ適正に敷設することが可能となる。
なお、ブロック３の切断に際しては、応力を加えたり、またコンクリートカッタ等の治具を利用して効率的に行なうことができる。
【００２８】
図５は、ブロックマット１を法尻１０２を持つ法面１００に載置する場合を示す。
ブロックマット１を法尻１０２を含む法面上に載置した後、ブロック３の一部を除去する。
【００２９】
すなわち、図２に示すようなブロックマット１の複数の切断溝４（Ｌ１，Ｌ２，Ｌ３，Ｌ４，Ｌ５，Ｌ６）から、例えば切断溝Ｌ１，Ｌ２を選択し、その切断溝に沿って切断して、その間のブロックを取り除くのである。
これで法面（傾斜角θ１）におけるブロック同士が障害とならずに法尻１０２の線でブロックマット１を十分な余裕を持って折り曲げることができる〔図５（Ａ）参照〕。
このようにブロック３の一部を除去することにより、更に急角度θ２（θ２＞θ１）の法面に対しても対応することが可能となる〔図５（Ｂ）参照〕。
【００３０】
〔第２の実施の形態〕
図３の図示例では、ブロック３に対角線方向に（すなわち斜め方向に）、傾斜αの複数（ここでは５条）の切断溝４（Ｌ１，Ｌ２，Ｌ３，Ｌ４，Ｌ５）が形成されている。
このブロック３を有するブロックマット１は、特にコーナー部を敷設する場合に極めて有効である。
【００３１】
（方法１）
その場合、先ず、隣接するブロックマット１同士の突き合わせ部を割り付け図を基準にして切断する。
ここで、両ブロックマット１を突き合わせできるように、それぞれ斜め方向に切断するが（尚、マット自体は切断が容易に行えるものである）、その際、ブロックマット１のブロック３を、図３（Ａ）の切断溝Ｌ４に沿って切断すると図３（Ｂ）のような台形のブロック３Ａとなる。
また、ブロック３を、図３（Ａ）の切断溝Ｌ２に沿って切断すると、図３（Ｃ）のような三角形のブロック３Ｂとなる。
【００３２】
すなわち、ブロック３を切断溝Ｌ４や切断溝Ｌ２に沿って切断することで、ブロックマット１を従来のように階段状ではなく、斜め方向に直線状に切断することが可能となるのである。
もっとも、切断する場合には、突き合わせるブロックマット同士の重なり部ができるように、マット代を多少残すように切断することも行われる。
ここのように斜め方向に直線状に切断したブロックマット１を墨み出しされた法面に載置する。
図６は、このようにブロックマット１を切断後、法面に載置する敷設した状態を示すものである。
【００３３】
（方法２）
以上は、ブロックマット１を切断後、法面に載置する敷設した方法を示したが、法面に載置した後に切断する方法もある。
すなわちコーナー部において、法面に隣接するブロックマット１を載置する。そして、両ブロックマット１を突き合わせできるように、それぞれ斜め方向に切断する。
この場合、ブロック３の切断溝Ｌ４や切断溝Ｌ２に沿って切断することで、ブロックマットは斜め方向に直線状に切断される。
その結果、図６のようにコーナー部を有する法面に敷設されるものである。
【００３４】
〔第３の実施の形態〕
図７は、ブロックマット１においてク対角線の位置に２本の切断溝４（Ｌ１，Ｌ２）が形成されているブロック３を示す拡大図である。
すなわち、切断溝４（Ｌ１）を選択してその切断溝に沿ってブロック３を含むブロックマット１を斜め方向に直線状に切断する。
このような隣接するブロックマット１を相互に突き合わせて法面に載置することで、容易に図８に示すような湾曲面を有するコーナ部が敷設形成される。
【００３５】
〔第４の実施の形態〕
この実施の形態は、ブロックマット１における切断溝４が、ブロックマット１の一部の領域のブロック３のみに形成されているものである。
すなわち施工時に切断する必要性が高い領域のブロックマット１のブロック３にのみ切断溝４を形成している。
例えば、図９（Ａ）のブロックマット１は、ブロックマットの両端から一定領域にある幾つかのブロック３に対して切断溝４が形成されているブロックマットである。
また、例えば、図９（Ｂ）のブロックマット１は、ブロックマットの両端から一定領域にある幾つかのブロック３に対して切断溝４が形成されているブロックマットである。
【００３６】
以上、本発明を述べてきたが、本発明は上記実施形態にのみ限定されるものでなく、本発明の範囲内で種々の変形等が可能である。
例えば、ブロック３に形成される切断溝４の条数あるいは傾斜角度等は、必要に応じて適宜変更が可能である。
また、ブロックマット自体の外形やマット代の大きさは適宜選択できるものである。
【００３７】
【発明の効果】
以上説明したように本発明によれば、この種のブロックマットを法面に敷設する際、切断溝に沿って分離することで簡単かつ適正に敷設することができる。
また、手間がかからず、極めて効率良くブロックマットを敷設することができる。
したがって、特に法肩、法尻、或いはコーナー部の施工において、施工人員を実質的に減少するとともにモルタル等の付属材料を使わないことからも作業効率が向上できる。
【図面の簡単な説明】
【図１】図１は、本発明の実施形態におけるブロックマットの例を示し、（Ａ）は、平面図、（Ｂ）は側面図である。
【図２】図２は、本発明の実施形態におけるブロックマットのブロックを拡大して示した斜視図である。
【図３】図３は、本発明の実施形態におけるブロックマットのブロックを拡大して示した平面図であり、（Ａ）は切断前、（Ｂ）は切断後の台形のもの、（Ｃ）は切断後の三角形のものを示す。
【図４】図４は、本発明におけるブロックマットの敷設方法を説明する側面図である。
【図５】図５は、本発明におけるブロックマットの敷設方法を説明する側面図であり、それぞれ法面の傾斜角の異なる場合を示す。
【図６】図６は、本発明のコーナー部におけるブロックマットの敷設方法を説明する平面図である。
【図７】図７は、本発明の実施形態におけるブロックマットのブロックを拡大して示した斜視図である。
【図８】図８は、本発明のコーナー部におけるブロックマットの別の敷設方法を説明する平面図である。
【図９】図９は、それそれブロックマット１における切断溝４が、ブロックマット１の一部の領域のブロック３のみに形成されているものを示す平面図である。
【図１０】図１０は、従来例におけるブロックマットの敷設方法を説明する側面図である。
【図１１】図１１は、従来例におけるブロックマットの別の敷設方法を説明する側面図である。
【図１２】図１２は、従来例のコーナー部におけるブロックマットの敷設方法を説明する平面図である。
【符号の説明】
１…ブロックマット
１０１…法肩
１０２…法尻
２…シート
２Ａ…シート代
３…ブロック
４（Ｌ１，Ｌ２，Ｌ３，Ｌ４，Ｌ５，Ｌ６）…切断溝
５…植生穴
Ｓ…余白空間
【図１】
2004339849.tif 000003
【図２】
2004339849.tif 000004
【図３】
2004339849.tif 000005
【図４】
2004339849.tif 000006
【図５】
2004339849.tif 000007
【図６】
2004339849.tif 000008
【図７】
2004339849.tif 000009
【図８】
2004339849.tif 000010
【図９】
2004339849.tif 000011
【図１０】
2004339849.tif 000012
【図１１】
2004339849.tif 000013
【図１２】
2004339849.tif 000014